(57)【特許請求の範囲】
【請求項１】
複数の照明器具と、無線媒体による照明制御信号を前記照明器具に送信して前記照明器具の出力制御を行うリモートコントロール装置とを有して、前記照明器具及び前記リモートコントロール装置には、各々送信部及び受信部を備え、前記照明器具と前記リモートコントロール装置との間で双方向通信を行って、前記リモートコントロール装置により前記照明装置を制御する照明装置において、
前記照明器具は、前記リモートコントロール装置から送信された信号の受信強度を検出する受信強度検出手段と、該受信強度の値をリモートコントロール装置に送信する通信制御手段とを有し、前記リモートコントロール装置は、前記照明器具から送信された前記受信強度の値を受信し、該受信強度の値とその照明器具のアドレスとを対応づけた器具選択リストを作成して複数の前記照明器具の選択の優先順位を決定する手段とを有して、前記リモートコントロール装置から、前記選択の優先順位をもとに複数の前記照明器具の内の一つを選択して、該照明器具の制御を行うようにしたことを特徴とする照明装置。
【請求項２】
前記照明器具は、自器が選択されたことを表示する表示手段を備えたことを特徴とする請求項１記載の照明装置。
【発明の詳細な説明】
【０００１】
【発明の属する技術分野】
本発明は、照明器具を、赤外線等の無線媒体を用いたリモートコントロール装置によって、遠隔制御する照明装置に関するものである。
【０００２】
【従来の技術】
従来、図６に示すように、天井や壁等に取付けられた照明器具１（１Ａ，１Ｂ，１Ｃ，・・）を、赤外線等の無線媒体による送信手段を有するリモートコントロール装置２（以降リモコンと称する）を用いて、遠隔制御するワイヤレスの照明装置が広く用いられている。従来のリモコン２は、対応する照明器具１の点灯及び消灯、調光等を行なうための操作ボタンを有し、この操作ボタンを押下すると、各操作ボタンに応じた照明制御信号を赤外線等の無線媒体で、照明器具１に対して送信するようになっている。そして、空間を伝搬した照明制御信号は、照明器具１に設けられている受信部で受信、復調され、マイクロコンピュータ等で構成された制御部に入力される。制御部では、入力された照明制御信号にもとづいて照明器具１の灯体（３）を点灯、調光、消灯する制御が行われる。しかし、このような方式では,広い空間に複数の照明器具１があった場合、照明制御信号を受信した照明器具１全てが動作してしまい、個別に照明器具１を制御することができない。この解決策として、各々の照明器具１に、各照明器具１固有のアドレスを設定し、リモコン２側で、制御したい照明器具１のアドレスを指定して制御する方式がある。
【０００３】
【発明が解決しようとする課題】
しかしながら、アドレスを指定して制御する方式では、リモコン２の操作者が照明器具１の位置とアドレスとの対応関係を把握していなければならず、操作性が良いとは言えない。
【０００４】
本発明は、上記事由に鑑みてなしたもので、その目的とするところは、複数の照明器具の制御を行なう際、各照明器具固有のアドレスを操作者が意識することなく、制御したい照明器具を選択，制御することのできる操作性のよい照明装置を提供することにある。
【０００５】
【課題を解決するための手段】
上記目的を達成するために、請求項１ 記載の発明は、複数の照明器具と、無線媒体による照明制御信号を前記照明器具に送信して前記照明器具の出力制御を行うリモートコントロール装置とを有して、前記照明器具及び前記リモートコントロール装置には、各々送信部及び受信部を備え、前記照明器具と前記リモートコントロール装置との間で双方向通信を行って、前記リモートコントロール装置により前記照明装置を制御する照明装置において、前記照明器具は、前記リモートコントロール装置から送信された信号の受信強度を検出する受信強度検出手段と、該受信強度の値をリモートコントロール装置に送信する通信制御手段とを有し、前記リモートコントロール装置は、前記照明器具から送信された前記受信強度の値を受信し、該受信強度の値とその照明器具のアドレスとを対応づけた器具選択リストを作成して複数の前記照明器具の選択の優先順位を決定する手段とを有して、前記リモートコントロール装置から、前記選択の優先順位をもとに複数の前記照明器具の内の一つを選択して、該照明器具の制御を行うようにしたことを特徴とするものである。
【０００６】
請求項２記載の発明は、請求項１記載の照明装置において、前記照明器具は、自器が選択されたことを表示する表示手段を備えたことを特徴とするものである。
【０００７】
【発明の実施の形態】
以下、本発明の実施の形態に係る照明装置について図１乃至図６にもとづき説明する。図１は、照明装置のブロック図である。大きく照明器具１側のブロック図と、リモコン２側のブロック図とからなる。先ず、照明器具１はリモコン２からの照明制御信号を受信する受信部６と、その照明制御信号に対する返信信号をリモコン２に返信する送信部８と、受信部６で受けた照明制御信号を処理するとともに、リモコン２からの要求信号を送信部８を通してリモコン２に返信する通信制御部５と、通信制御部５で処理した結果にもとづき、灯体（負荷）３を制御する照明器具制御部４と、リモコン２から受けた赤外線等の受信強度（受光感度）を検出する受信強度検出部（受光感度検出部）７とを有してなる。
【０００８】
一方、リモコン２（図２右側）は、照明器具１からの返信信号を受信する受信部１２と、照明器具１に照明制御信号を送信する送信部１１とを有する。さらに、操作者とのインターフェイスとなる操作表示部１４と、操作者が操作表示部１４に操作ボタン等で指示（入力）した内容にもとづき、照明器具１を制御するための照明制御信号を出力するとともに、照明器具１からの返信信号の内容を処理して操作表示部１４に表示し、さらに、器具選択リスト１３へのデータ入力を行なう調光制御部９と、調光制御部９から出力された照明制御信号を送信部１１を通して送信するとともに、受信部１２を通して受信した照明器具１からの返信信号を調光制御部９に出力する通信制御部１０を有してなる。尚、器具選択リスト１３については、後で説明する。
【０００９】
図２は、照明装置のハードウェア構成を示す図である。照明器具１（図２左側）は、赤外線等の無線媒体による信号を送受信するための受発光部２０と、送受信信号の処理や調光制御を行うための制御信号を出力するマイコン１５と、この照明器具１の固有のアドレスが設定されているデジタルスイッチ２１、マイコン１５からの制御信号にもとづき灯体２３を制御する調光回路２２とを有してなる。またマイコン１５は、各種の信号入出力を行うためのＩ／Ｏポート１６、演算処理を行うＣＰＵ１７、各種データを記憶するＲＯＭ１８，及びＲＡＭ１９を有する。さらに、リモコン２との通信路が確立されたことを示すＬＥＤ３１を備える。
【００１０】
一方、リモコン２は、赤外線等の無線媒体による信号を送受信するための受発光部２９と、送受信信号の処理や器具選択リスト１３の作成等を行うための制御信号を出力するマイコン部２４と、操作者とのインターフェイスとなる操作スイッチや表示ＬＥＤを有する操作表示部３０とを有してなる。またマイコン２４は、各種の信号入出力を行うためのＩ／Ｏポート２５、演算処理を行うＣＰＵ２６、各種データを記憶するＲＯＭ２７，及びＲＡＭ２８を有する。
【００１１】
以上実施の形態における処理手段及びハードウェア構成について説明したが、以下、動作について、図３及び図４にもとづき説明する。尚、リモコン２から照明器具１への照明制御信号には、照明器具１での受信強度の値を要求する「受信強度返信要求信号」と、ある照明器具１に向け該照明器具１を選択したことを示す「選択信号」と、該照明器具１の点灯，消灯及び調光を行う「調光制御信号」がある。また、照明器具１からリモコン２への返信信号には、「受信強度信号」がある。
【００１２】
図３は、照明器具１側の処理を示すフローチャートである。通常照明器具１の制御装置はリモコン２からの返信要求信号を待つ受信待ち状態にある（Ｓ３１，Ｓ３２）。ここで、リモコンからの返信要求信号を受信すると、その返信要求信号が、先ず、照明器具１（本器）における受信強度返信要求信号であるかどうかを判断する（Ｓ３３）。受信強度返信要求信号であれば、受信強度（値）の信号をリモコンに送信（返信）し（Ｓ３４）、次のリモコンからの信号つまり操作者の要求を待つ（Ｓ３１）。また、受信強度返信要求信号でなければ、自器が選択されたことを表す選択信号であるかを判断し（Ｓ３５）、選択信号であれば、自器の備えるＬＥＤを点灯して（Ｓ３６）、自器が選択されて通信路が確立され、調光制御可能であることを操作者に報知して、次のリモコンからの要求信号を待つ。そして、調光制御可能状態で、リモコンから調光制御信号を受信すれば、その調光制御信号にもとづき、灯体２３を調光制御する（Ｓ３７）。
【００１３】
図４は、リモコン２側の処理を示すフローチャートである。通常リモコン２の制御装置は操作者からの操作を待つ操作待ち状態にある（Ｓ４１，Ｓ４２）。操作者からの操作があれば（Ｓ４２）、器具選択リスト１３が作成されているかを判断し（Ｓ４３）、作成されていなければ、各照明器具１から返信される、受信強度（値）とその照明器具１のアドレスの情報とを含む返信信号（受信強度信号）をもとに器具選択リスト１３を作成する（Ｓ４７）。そして作成された器具選択リスト１３の優先順位にもとづき、複数の照明器具１の内１つを選択して（Ｓ４８）、この選択信号を照明器具１に送信して（Ｓ４９）、再び次の操作待ち状態になる（Ｓ４１）。また、ステップＳ４３において、既に、先の照明器具１からの返信信号により器具選択リスト１３が作成されており、その器具選択リスト１３の優先順位が希望するものであれば（Ｓ４４）、選択要求なし（つまり変更なし）として（Ｓ４４）、その優先度の最も高い照明器具１の調光制御信号を送信して（Ｓ４６）、再び次の操作待ち状態になる（Ｓ４１）。また、同じくステップＳ４３において、既に、先の照明器具１からの返信信号により器具選択リスト１３が作成されており、その器具選択リスト１３の優先順位が希望するものでなければ、選択要求ありとして（Ｓ４４）、器具選択リスト１３を再編成して（Ｓ４５）、器具選択を行う（Ｓ４８）。
【００１４】
以上、照明器具１及びリモコン２における処理内容について示したが、この両者における処理内容にもとづき、両者をふくめた照明装置全体の処理内容について示す。先ず、図６に示すように、例えば、３個の照明器具１Ａ，１Ｂ，１Ｃがあり、各々の照明器具１にはアドレスＡ，Ｂ，Ｃが割り当てられているとする。操作者は、リモコン２の操作表示部３０により、これらの照明器具１（１Ａ，１Ｂ，１Ｃ）を調光制御するものとする。ここで、操作者は、先ず照明器具１Ｂの照明制御を行いたいとして、照明器具１Ｂの方向に向け、リモコン２のアドレス情報を含めた受信強度返信要求信号を送信する。照明器具１Ｂ近傍には、照明器具１Ａや１Ｃがあり、照明器具１Ｂ及び照明器具１Ａ，１Ｂからは図３のフローに従って自器の受信強度の値を各照明器具１（１Ａ，１Ｂ，１Ｃ）のアドレス情報とともに、送信する（Ｓ３４）。そして、各照明器具１の受信強度の値とアドレス情報をもとに、リモコン２のマイコン２４で、受信強度の順に、受信強度の値と、その照明器具１のアドレスとを対応づけた器具選択リスト１３を作成する（Ｓ４７）。ここでは、例えば、優先順位が照明器具１Ｂ，１Ａ，１Ｃであった場合を図５に示す。ここで、操作者は、照明器具１Ｂに向けてリモコン２の操作を行っていることから、リモコン２の受発光部２９の指向性により、照明器具１Ｂの受信強度が最も強くなる傾向にある。
【００１５】
そして、操作者は、先に作成した器具選択リスト１３の結果を操作表示部３０を通して、希望する照明器具１Ｂが最も優先度が高いことを確認し、照明器具１Ｂに対して、選択信号を送信する（Ｓ４９）。照明器具１Ｂは自器が選択された選択信号を受けて、リモコン２との通信路を確立し、その確立した旨を操作者に報知するために選択表示部となるＬＥＤを点灯する（Ｓ３６）。そして、操作者は自分が確実に照明器具１Ｂを選択したことを確認する。もし、照明器具１Ｂが操作者の希望するものでない場合は、器具選択リスト１３で、優先順位が２番目の照明器具１Ａを操作表示部３０を通して選択し、その選択信号を送信して、照明器具１Ａとの通信路を確立するようにする。
【００１６】
このように、操作者が照明制御したい照明器具１にむけて、受信強度返信要求信号を送信し、その信号にもとづいて照明器具１から受信強度を返信するようにし、この受信強度の値にもとづいて、複数の照明器具１の優先度を決めて、希望する照明器具１の調光制御を行うようにしたので、操作者は、照明器具１のアドレスを意識することなく、調光制御を行いたい照明器具を選択することができるという効果を奏する。
【００１７】
以上本発明の実施の形態を示したが、照明器具１の個数はこれに限定されるものではない。
【００１８】
【発明の効果】
上述の如く、本発明の請求項１ 記載の発明によれば、複数の照明器具と、無線媒体による照明制御信号を前記照明器具に送信して前記照明器具の出力制御を行うリモートコントロール装置とを有して、前記照明器具及び前記リモートコントロール装置には、各々送信部及び受信部を備え、前記照明器具と前記リモートコントロール装置との間で双方向通信を行って、前記リモートコントロール装置により前記照明装置を制御する照明装置において、前記照明器具は、前記リモートコントロール装置から送信された信号の受信強度を検出する受信強度検出手段と、該受信強度の値をリモートコントロール装置に送信する通信制御手段とを有し、前記リモートコントロール装置は、前記照明器具から送信された前記受信強度の値を受信し、該受信強度の値とその照明器具のアドレスとを対応づけた器具選択リストを作成して複数の前記照明器具の選択の優先順位を決定する手段とを有して、前記リモートコントロール装置から、前記選択の優先順位をもとに複数の前記照明器具の内の一つを選択して、該照明器具の制御を行うようにしたので、複数の照明器具の制御を行なう際、各照明器具固有のアドレスを操作者が意識することなく、制御したい照明器具を選択，制御することのできる操作性のよい照明装置を提供できた。
【００１９】
請求項２記載の発明においては、照明器具が、自器が選択されたことを表示する表示手段を備えるようにしたので、自器とリモートコントロール装置との間で通信路が確立し、調光可能状態にあることを操作者に報知することができるとういう効果を奏する。
【図面の簡単な説明】
【図１】本発明の実施の形態の照明装置の機能を示すブロック図である。
【図２】本発明の実施の形態の照明装置のハードウェア構成を示すブロック図である。
【図３】本発明の実施の形態の照明装置の照明器具で行われる処理のフローチャートである。
【図４】本発明の実施の形態の照明装置のリモートコントロール装置で行われる処理のフローチャートである。
【図５】本発明の実施の形態の照明装置の器具選択リストのデータの一例を示す図である。
【図６】本発明の実施の形態の照明装置及び、従来の照明制御装置の概要図である。
【符号の説明】
１    照明器具
２    リモートコントロール装置（リモコン）
３    灯体（負荷）
４    照明器具制御部
５    通信制御部（照明器具側）
６    受信部（照明器具側）
７    受信強度検出部（受光感度検出部）
８    送信部（照明器具側）
９    調光制御部
１０  通信制御部（リモコン側）
１１  送信部（リモコン側）
１２  受信部（リモコン側）
１３  器具選択リスト
１４  操作表示部
１５  マイコン（照明器具側）
２０  受発光部
２１  デジタルスイッチ
２２  調光回路
２３  灯体
２４  マイコン（リモコン側）
２９  受発光部（リモコン側）
３０  操作表示部
３１  選択表示部（ＬＥＤ）
【図１】
0003896753.tif 000002
【図２】
0003896753.tif 000003
【図３】
0003896753.tif 000004
【図４】
0003896753.tif 000005
【図５】
0003896753.tif 000006
【図６】
0003896753.tif 000007